(57)【要約】【課題】水分を発散させることにより、吸水材が飽和状態となるのを防止して結露を防止することができる配線用ボックス及びコンクリート埋設物を提供する。【解決手段】配線用ボックス１１はボックス本体１２を備え、そのボックス本体１２の内面に結露防止層１３が設けられているものである。前記結露防止層１３は赤外線反射材層と、その赤外線反射材層の表面に積層された吸水材層とより形成されている。そして、主に吸水材層に水分が吸水される。また、熱源より発生された赤外線（熱線）が赤外線反射材層により反射されるため、吸水材層がその反射された赤外線により暖められ、吸水材層内の水分が発散される。その結果、吸水材層が飽和状態となることなく、結露が防止される。【選択図】      図１
2004187394.tif 000002
【特許請求の範囲】
【請求項１】
有底箱状をなすボックス本体を備え、同ボックス本体の少なくとも内面に、赤外線反射材及び吸水材を含有する結露防止層を設けたことを特徴とする配線用ボックス。
【請求項２】
前記結露防止層を、ボックス本体の少なくとも内面に設けられた前記赤外線反射材を含有する層と、その赤外線反射材よりなる層の表面に積層された前記吸水材を含有する層とより構成したことを特徴とする請求項１に記載の配線用ボックス。
【請求項３】
前記赤外線反射材は、水分を吸収するものである請求項１又は請求項２に記載の配線用ボックス。
【請求項４】
コンクリート構築物に埋設され、当該コンクリート構築物の表面に開口が臨む凹部を有する埋設物本体を備え、同埋設物本体の少なくとも内面に、赤外線反射材及び吸水材を含有する結露防止層を設けたことを特徴とするコンクリート埋設物。
【請求項５】
前記結露防止層を、埋設物本体の少なくとも内面に設けられた前記赤外線反射材を含有する層と、その赤外線反射材よりなる層の表面に積層された前記吸水材を含有する層とより構成したことを特徴とする請求項４に記載のコンクリート埋設物。
【請求項６】
前記赤外線反射材は、水分を吸収するものである請求項４又は請求項５に記載のコンクリート埋設物。
【発明の詳細な説明】
【０００１】
【発明の属する技術分野】
本発明は、例えば建物の壁裏に設置される配線用ボックス及びコンクリートスラブに埋設されるコンクリート埋設物に係り、詳しくは結露を防止することができる配線用ボックス及びコンクリート埋設物に関する。
【０００２】
【従来の技術】
従来より、例えば建物の壁裏に設置された配線用ボックス内の結露を防止するために、結露防止加工が施された配線用ボックスが提案されている（例えば、特許文献１参照。）。この結露防止電気配線用ボックスは、硬質ポリ塩化ビニル樹脂製のボックス本体を備え、そのボックス本体の表面には結露防止塗料が塗布されている。前記結露防止塗料は、セラミックス又はプラスチック中空フィラーを含有するものである。そして、結露防止電気配線用ボックス内が水滴の発生する雰囲気下となったとき、結露防止塗料の中空フィラーに水分が吸収されて結露防止電気配線用ボックス内の結露を防止するようになっている。
【０００３】
また、コンクリート埋設物としてのエンドカバーは、コンクリート壁に埋設され、内部に電線管が配設されるものである（例えば、特許文献２参照。）。エンドカバーは縦長形状をなすとともに、アーチ状に形成され、コンクリート壁に埋設された状態で、一端側に設けられた挿入口から内部に電線管を挿入可能に形成されている。そのエンドカバーの挿入口の内面には、エンドカバー内部を密閉するために、電線管の外面に密着するスポンジ等よりなる密閉材が設けられている。
【０００４】
【特許文献１】
登録実用新案第３０１３６１０号公報
【特許文献２】
特開２００２−５８１２７号公報
【０００５】
【発明が解決しようとする課題】
ところが、上記従来の結露防止電気配線用ボックスにおいて、結露防止塗料は水分の吸収機能しか有していない。そのため、結露防止塗料の中空フィラーが水分で飽和状態となり、水分の吸収限度を超えてしまうと、結露防止電気配線用ボックスの内面が結露してしまうという問題があった。また、従来のエンドカバーの内面には、結露を防止する手段が設けられていないため、エンドカバーの内面が結露してしまうという問題があった。
【０００６】
本発明は、上記従来技術に存在する問題点に着目してなされたものである。その目的とするところは、水分を発散させることにより、吸水材が飽和状態となるのを防止して結露を防止することができる配線用ボックス及びコンクリート埋設物を提供することにある。
【０００７】
【課題を解決するための手段】
上記問題点を解決するために、請求項１に記載の発明は、有底箱状をなすボックス本体を備え、同ボックス本体の少なくとも内面に、赤外線反射材及び吸水材を含有する結露防止層を設けたことを要旨とする。
【０００８】
請求項２に記載の発明は、請求項１に記載の配線用ボックスにおいて、前記結露防止層を、ボックス本体の少なくとも内面に設けられた前記赤外線反射材を含有する層と、その赤外線反射材よりなる層の表面に積層された前記吸水材を含有する層とより構成したことを要旨とする。
【０００９】
請求項３に記載の発明は、請求項１又は請求項２に記載の配線用ボックスにおいて、前記赤外線反射材は、水分を吸収するものであることを要旨とする。
請求項４に記載の発明は、コンクリート構築物に埋設され、当該コンクリート構築物の表面に開口が臨む凹部を有する埋設物本体を備え、同埋設物本体の少なくとも内面に、赤外線反射材及び吸水材を含有する結露防止層を設けたことを要旨とする。
【００１０】
請求項５に記載の発明は、請求項４に記載のコンクリート埋設物において、前記結露防止層を、埋設物本体の少なくとも内面に設けられた前記赤外線反射材を含有する層と、その赤外線反射材よりなる層の表面に積層された前記吸水材を含有する層とより構成したことを要旨とする。
【００１１】
請求項６に記載の発明は、請求項４又は請求項５に記載のコンクリート埋設物において、前記赤外線反射材は、水分を吸収するものであることを要旨とする。
【００１２】
【発明の実施の形態】
（第１の実施形態）
以下、本発明を具体化した配線用ボックスの一実施形態を図１及び図２にしたがって説明する。
【００１３】
図１に示すように、配線用ボックス１１は、合成樹脂材料製の有底四角箱状をなすボックス本体１２を備え、図１にハッチングに示すように、そのボックス本体１２の内面に結露防止層１３が設けられているものである。
【００１４】
図２に示すように、前記結露防止層１３は、ボックス本体１２の内面に設けられた赤外線反射材よりなる層としての赤外線反射材層１３ａと、その赤外線反射材層１３ａの表面に積層された吸水材よりなる層としての吸水材層１３ｂとより形成されている。前記赤外線反射材層１３ａは太陽光の赤外線領域を反射する機能を発揮するものである。前記赤外線反射材としては、アルミニウムフレーク、酸化チタン、硫酸バリウム、酸化亜鉛、酸化マグネシウム、アルミナ、無機系中空ビーズ、有機系中空ビーズ等が挙げられる。本実施形態では、前記無機系中空ビーズとしてアルミノ珪酸ソーダガラスを使用した。このアルミノ珪酸ソーダガラスは、中空ビーズ構造をなし、内部に水分を吸収することが可能であり、熱を吸収することも可能である。
【００１５】
そして、前記アルミノ珪酸ソーダガラスと、樹脂エマルジョンとを混合して赤外線反射材塗料が調製され、その赤外線反射材塗料がボックス本体１２の内面に塗布されて赤外線反射材層１３ａが形成されている。なお、アルミノ珪酸ソーダガラスと、樹脂エマルジョンとは、重量比が約４対１となるように混合されるのが好ましく、赤外線を効果的に反射して結露防止層１３による結露防止が発揮できる範囲であれば、混合比は任意に変更してもよい。
【００１６】
前記樹脂エマルジョンとしては、水性の樹脂エマルジョン及び油性の樹脂エマルジョンのいずれも使用することができる。その樹脂エマルジョンとしては、例えばエチレン系、酢酸ビニル系、アルキッド系、塩化ビニル系、アクリル系、ウレタン系、シリコン系、エポキシ系、フッ素系樹脂等が挙げられ、それらを単独又は２種以上混合して使用してもよい。
【００１７】
前記吸水材層１３ｂは、水分を吸収する機能を発揮するものである。吸水材層１３ｂを形成するために使用される吸水材としては、細孔や隙間、空隙を多く持つ多孔質体が挙げられ、その多孔質体としては、多孔質ガラス、セラミックス又は合成樹脂材料からなる中空フィラーといった人工素材の他に、軽石等の天然素材のものも挙げられる。前記セラミックス製の中空フィラーは無機材料を多孔質状に焼結し、それを粉砕して得られたものである。また、合成樹脂製の中空フィラーは、エステル系樹脂、ポリエステル系樹脂、アクリル系樹脂、ポリアクリル系樹脂等を多孔質状に成形し、粉砕して得られたものである。そして、本実施形態では珪藻土よりなるセラミックス製の中空フィラーを使用した。
【００１８】
そして、前記珪藻土よりなる中空フィラーと、樹脂エマルジョンとが混合されて吸水材塗料が調製され、その吸水材塗料が前記赤外線反射材層１３ａの表面に塗布されて吸水材層１３ｂが形成されている。前記樹脂エマルジョンとしては、水性の樹脂エマルジョン及び油性の樹脂エマルジョンのいずれも使用することができる。その樹脂エマルジョンとしては、エチレン系、酢酸ビニル系、アルキッド系、塩化ビニル系、アクリル系、ウレタン系、シリコン系、エポキシ系、フッ素系樹脂等が挙げられ、それらを単独又は２種以上混合して使用してもよい。
【００１９】
なお、珪藻土よりなる中空フィラーは前記吸水材塗料の全重量の４０％以上となるように配合されるのが好ましい。珪藻土よりなる中空フィラーが、吸水材塗料の全重量の４０％未満で配合されると、吸水材層１３ｂの吸水能力が低下して好ましくない。また、吸水材塗料を調製する際に、珪藻土よりなる中空フィラーと、樹脂エマルジョンとを均一に分散させるために分散剤を添加してもよい。さらに、吸水材塗料の赤外線反射材層１３ａに対する粘着性を高めるために粘着剤を添加してもよい。
【００２０】
次に、上記配線用ボックス１１の作用について説明する。
配線用ボックス１１がコンクリート壁に埋設され、その配線用ボックス１１内にはケーブル（図示せず）が引込まれているとともに、そのケーブルに配線器具（図示せず）が接続されている。また、コンクリート壁の表面には、壁材が設置され、その壁材の裏側に配線用ボックス１１が設置されているとともに、配線器具が壁材の表側に臨むように取付けられている。
【００２１】
この設置状態において、ボックス本体１２の外面側の温度が低下し、ボックス本体１２の内面が冷やされ、水滴が発生する状態となっても、ボックス本体１２の内面に臨む吸水材層１３ｂの珪藻土よりなる中空フィラーの細孔から内部空隙に水分が吸収され、同内部に担持される。ここで、水分が吸水材層１３ｂを通過しても、同水分は赤外線反射材層１３ａのアルミノ珪酸ソーダガラスの表面細孔から内部空隙に吸収され、同内部に担持される。即ち、赤外線反射材層１３ａ及び吸水材層１３ｂの両層により吸水作用が発揮される。
【００２２】
また、室内等の熱源より発生された赤外線（熱線）及びケーブルから発生される赤外線（熱線）のほとんどが吸水材層１３ｂを通過した後、アルミノ珪酸ソーダガラス、即ち赤外線反射材層１３ａにより反射される。また、赤外線反射材層１３ａに反射されなかった赤外線（熱線）の一部はアルミノ珪酸ソーダガラス内に吸収され、赤外線反射材層１３ａ自体が昇温される。
【００２３】
そして、赤外線反射材層１３ａを反射した赤外線（熱線）が吸水材層１３ｂを再度通過し、その吸水材層１３ｂ内の珪藻土よりなる中空フィラーが赤外線（熱線）により暖められる。さらに、アルミノ珪酸ソーダガラスに吸収された熱により吸水材層１３ｂが裏面から暖められて、吸水材層１３ｂの温度がその周辺温度より２〜５℃上昇する。その結果、ボックス本体１２の内面の温度の低下が防止され、同ボックス本体１２の内面に水滴が発生しやすい状態となることが防止される。
【００２４】
さらに、珪藻土よりなる中空フィラー全体が暖められることになり、同中空フィラーの内部に吸収されていた水分が蒸発、発散され、中空フィラー、即ち吸水材層１３ｂが水分により飽和状態となることが防止される。そのため、珪藻土よりなる中空フィラーにおける水分の吸収限度が超えられることはなく、吸水材層１３ｂで吸収し切れなかった水分がボックス本体１２の内面に結露することが防止される。
【００２５】
上記実施形態の配線用ボックス１１によれば、以下のような効果を得ることができる。
（１）ボックス本体１２の内面に、赤外線反射材層１３ａと吸水材層１３ｂとよりなる結露防止層１３を設けた。そのため、赤外線反射材層１３ａの作用によって吸水材層１３ｂを昇温させることができ、珪藻土よりなる中空フィラーの水分の吸収限度を超えてしまう不具合の発生を防止することができる。従って、ボックス本体１２内の結露を防止することができ、結露による壁材の汚れや腐食、さらにはケーブル、配線器具の腐食等の不具合の発生を防止することができる。
【００２６】
（２）室内の熱源等から発生する赤外線に加え、ボックス本体１２内に収容されたケーブル及び配線器具から発生した赤外線によっても珪藻土よりなる中空フィラーを暖めることができる。そのため、赤外線量を多くして珪藻土よりなる中空フィラー内の水分を効率良く発散させることができ、ボックス本体１２内の結露を効果的に防止することができる。
【００２７】
（３）ボックス本体１２の外面に断熱材等を設ける場合と比較して、配線用ボックス１１設置のために要するスペースを小さくすることができる。従って、厚みの薄いコンクリート壁にも設置することができ、配線用ボックス１１の使用範囲を広げることができる。
【００２８】
（４）アルミノ珪酸ソーダガラスは、内部に熱を吸収することができるため、その熱により吸水材層１３ｂを裏面側から暖めることができる。従って、赤外線反射材層１３ａに反射された赤外線との協働により、珪藻土よりなる中空フィラーを効率良く暖めることができ、同珪藻土よりなる中空フィラーの水分を効率良く発散させることができる。
【００２９】
（５）結露防止層１３は赤外線反射材層１３ａと吸水材層１３ｂとの２層構造になっている。そのため、アルミノ珪酸ソーダガラスと、珪藻土よりなる中空フィラーとが一緒に混練されて結露防止層１３を形成した場合と比較して、赤外線をムラ無く効率良く反射することができ、吸水材層１３ｂを効果的に昇温させることができる。即ち、結露を防止するための機能を効果的に発揮させることができる。
【００３０】
（６）アルミノ珪酸ソーダガラスは赤外線反射機能を有するとともに、吸水機能も有している。そのため、赤外線反射材層１３ａのみに吸水させる場合と比較して、結露防止層１３の吸水量を多くすることができ、結露の発生を効果的に防止することができる。
【００３１】
（第２の実施形態）
以下、本発明を具体化したコンクリート埋設物の一実施形態を図３にしたがって説明する。
【００３２】
図３に示すように、コンクリート埋設物としてのエンドカバー２０は、合成樹脂材料製の箱状をなす埋設物本体としてのカバー本体２１を備え、そのカバー本体２１の内面に結露防止層１３が設けられているものである。カバー本体２１は電線管２３を接続可能に形成され、さらにカバー本体２１の内側に凹部２１ａが形成されている。前記結露防止層１３は第１の実施形態と同様の構成である。即ち、カバー本体２１の内面には、図示しないが赤外線反射材層が設けられ、その赤外線反射材層の表面には吸水材層が積層されている。前記電線管２３内には図示しないケーブルが配線され、そのケーブルには図示しない配線器具等が接続される。
【００３３】
そして、エンドカバー２０に電線管２３が接続された状態で、同エンドカバー２０はコンクリート構築物としてのコンクリートスラブ２４に埋設される。その結果、コンクリートスラブ２４の表面には、カバー本体２１によって凹部２１ａが形成され、その凹部２１ａの開口がコンクリートスラブ２４の表面に臨むようになっている。さらに、その凹部２１ａには、コンクリートスラブ２４内に敷設された電線管２３の端部が位置している。前記電線管２３には、コンクリートスラブ２４の表面側に配設された別の電線管２５の端部が接続される。
【００３４】
このエンドカバー２０の設置状態において、カバー本体２１の外面側、即ちコンクリートスラブ２４側の温度が低下し、カバー本体２１の内面が冷やされ、水滴が発生する状態となっても、第１の実施形態と同様に結露防止層１３の作用により、カバー本体２１の内面の結露が防止される。従って、第２の実施形態において、カバー本体２１の結露を防止することができ、結露によるケーブル、電線管２３，２５の腐食等の不具合の発生を防止することができる。また、第１の実施形態の（２）〜（６）と同様の効果も発揮することができる。
【００３５】
【実施例】
次に実施例及び比較例を挙げて本発明をさらに具体的に説明する。
（実施例１〜３、比較例１〜６）
実施例１〜３では、図４に示すように、２室の恒温恒湿室Ｒ１，Ｒ２の間にコンクリート壁Ｗを設け、そのコンクリート壁Ｗに配線用ボックス１１を埋設するとともに、恒温恒湿室Ｒ１，Ｒ２の間に温度差を形成して３パターンの温度帯で配線用ボックス１１の結露状況を観察した。
【００３６】
前記恒温恒湿室Ｒ１，Ｒ２はそれぞれ独立して温度及び湿度を調整可能であり、前記コンクリート壁Ｗは厚みが１５０ｍｍに設定されている。そして、恒温恒湿室Ｒ１を室内側と設定し、温度２０℃、湿度６５％の条件に設定した。一方、恒温恒湿室Ｒ２を室外側と設定し、実施例１では温度をマイナス５℃（−５℃）、実施例２ではマイナス１０℃（−１０℃）、実施例３ではマイナス１５℃（−１５℃）の条件に設定した。そして、コンクリート壁Ｗに埋設された配線用ボックス１１を、恒温恒湿室Ｒ１側から０．５時間（０．５ｈ）毎に観察して状況を確認し、その観察作業を８時間行った。なお、比較例１〜３では、配線用ボックス１１の代わりに結露防止層１３を備えていないボックスを使用し、上記実施例１〜３と同様に恒温恒湿室Ｒ２の温度を変えて結露の状況を観察した。また、比較例４〜６では、配線用ボックス１１の代わりに吸水材層１３ｂのみを備えたボックスを使用し、上記実施例１〜３と同様に恒温恒湿室Ｒ２の温度を変えて結露の状況を観察した。その結果を表１に示す。
【００３７】
測定基準は、以下のように設定した。
×３：大水滴がボックスの全面に確認された、×２：大水滴がボックスの底面に確認された、×１：大水滴がボックスの側面に確認された、△３：小水滴がボックスの全面に確認された、△２：小水滴がボックスの底面に確認された、△１：小水滴がボックスの側面に確認された、○：結露が確認されなかった。
【００３８】
【表１】
2004187394.tif 000003
表１に示すように、第１の実施形態の配線用ボックス１１においては、恒温恒湿室Ｒ２の温度がいずれの条件であっても、結露が確認されなかった。従って、吸水材層１３ｂのみが設けられたボックスの構成では、結露を防止することができない条件下であっても、赤外線反射材層１３ａを設けることにより結露を防止することできる。
【００３９】
なお、上記実施形態は以下のように変更してもよい。
・  第１の実施形態では、配線用ボックス１１内にケーブルを引込み、配線器具を収容させたが、ケーブルが引込まれず、配線器具が収容されない状態で使用してもよい。
【００４０】
・  各実施形態では、ボックス本体１２又はカバー本体２１の内面に赤外線反射材層１３ａと、吸水材層１３ｂとを積層して結露防止層１３を形成したが以下のように変更してもよい。赤外線反射材と吸水材とを一緒に混練し、樹脂エマルジョンと混合して調製された塗料をボックス本体１２又はカバー本体２１の内面に塗布して結露防止層１３を一度に形成してもよい。
【００４１】
・  各実施形態では、赤外線反射材塗料と吸水材塗料とを別々に塗布して結露防止層１３を形成したが以下のように変更してもよい。赤外線反射材塗料及び吸水材塗料をそれぞれシート状に成形して赤外線反射材層１３ａ及び吸水材層１３ｂを形成し、赤外線反射材層１３ａのシートをボックス本体１２又はカバー本体２１の内面に貼着した後、赤外線反射材層１３ａの表面に吸水材層１３ｂのシートを貼着して結露防止層１３を形成してもよい。又は赤外線反射材と吸水材とを一緒に混練し、樹脂エマルジョンと混合して調製された塗料をシート状に成形して、そのシートをボックス本体１２又はカバー本体２１の内面に貼着して結露防止層１３を形成してもよい。
【００４２】
・  各実施形態では、ボックス本体１２又はカバー本体２１の内面のみに結露防止層１３を設けたが以下のように変更してもよい。ボックス本体１２又はカバー本体２１を赤外線反射材塗料に浸漬し、赤外線反射材層１３ａをボックス本体１２又はカバー本体２１の全面に形成する。その後、そのボックス本体１２又はカバー本体２１を吸水材塗料に浸漬し、ボックス本体１２又はカバー本体２１の全面に吸水材層１３ｂを形成して結露防止層１３を設けてもよい。又は赤外線反射材と吸水材とを一緒に混練し、樹脂エマルジョンと混合して調製された塗料にボックス本体１２又はカバー本体２１を浸漬してボックス本体１２又はカバー本体２１の全面に結露防止層１３を形成してもよい。
【００４３】
・  配線用ボックス１１又はエンドカバー２０の外面に発泡樹脂材料等より形成された断熱材等を設けてもよい。
・  第１の実施形態では、配線用ボックス１１をコンクリート壁に埋設したが、配線用ボックス１１を土壁に埋設してもよく、柱に固定して壁材の裏に設置したり、天井裏に設置してもよい。
【００４４】
・  第２の実施形態では、コンクリート埋設物としてのエンドカバー２０に具体化したが、コンクリート埋設物として、コンクリート埋設用配線用ボックス、カップリング、エンドカップリング等に結露防止層１３を設けてもよい。また、コンクリート構築物として、コンクリート壁、コンクリート床、コンクリート天井等に具体化してもよい。
【００４５】
次に、上記実施形態及び別例から把握できる技術的思想について、それらの効果とともに以下に追記する。
（１）前記ボックス本体は、内部にケーブルが引込まれ、そのケーブルに接続された配線器具を収容するものである請求項１〜請求項３のいずれか一項に記載の配線用ボックス。このように構成した場合、室内の熱源等から発生する赤外線に加え、ボックス本体内に収容されたケーブル及び配線器具から発生した赤外線によっても吸水材を暖めることができる。そのため、赤外線量を多くして水分を効率良く発散させることができ、ボックス本体内の結露を効果的に防止することができる。
【００４６】
（２）前記吸水材は、多孔質体であることを特徴とする請求項１〜請求項６のいずれか一項に記載の配線用ボックス及びコンクリート埋設物。このように構成した場合、効率良く吸水することができる。
【００４７】
【発明の効果】
本発明によれば、水分を発散させることにより、吸水材が飽和状態となるのを防止して結露を防止することができる。
【図面の簡単な説明】
【図１】第１の実施形態の配線用ボックスを示す斜視図。
【図２】配線用ボックスの結露防止層を示す部分拡大断面図。
【図３】第２の実施形態のエンドカバーを示す断面図。
【図４】配線用ボックスを２つの恒温恒湿室の間に設置した状態を示す模式図。
【符号の説明】
１１…配線用ボックス、１２…ボックス本体、１３…結露防止層、１３ａ…赤外線反射材よりなる層としての赤外線反射材層、１３ｂ…吸水材よりなる層としての吸水材層、２０…コンクリート埋設物としてのエンドカバー、２１…埋設物本体としてのカバー本体、２１ａ…凹部、２４…コンクリート構築物としてのコンクリートスラブ。
【図１】
2004187394.tif 000004
【図２】
2004187394.tif 000005
【図３】
2004187394.tif 000006
【図４】
2004187394.tif 000007